(57)【要約】【課題】エアフィルタに対して移動する塵埃除去ユニットによってエアフィルタの自動清掃を行う自動清掃機能を備える空調室内機においてエアフィルタによる塵埃除去機能を向上させる。【解決手段】自動清掃機構７０が、風上部７４１と風下部７３１とを連結する第１締結部材７３５を含む塵埃除去ユニット７３を有し、塵埃除去ユニット７３をエアフィルタに対して相対移動させてエアフィルタから塵埃を自動的に除去する。本体フレーム１９は、第１締結部材７３５を移動させる隙間１９８を近傍に持つ塵埃除去ユニット７３の移動経路１９５を形成する。シール部材４０は、塵埃除去ユニット７３の待機時には隙間１９８に位置し隙間１９８に室内空気が流れることを抑制し且つ塵埃除去ユニット７３の移動時には隙間１９８から外れる。【選択図】図１９
2017020666.tif 000002
【特許請求の範囲】
【請求項１】
機内に取り入れられる室内空気から塵埃を除去するエアフィルタ（２５）と、
前記エアフィルタの風上側に配置される風上部（７４１）と前記エアフィルタの風下側に配置される風下部（７３１）と前記風上部と前記風下部を連結する連結部（７３５）とを含む塵埃除去ユニット（７３）を有し、前記塵埃除去ユニットを前記エアフィルタに対して相対移動させて前記エアフィルタから塵埃を自動的に除去する自動清掃機構（７０）と、
前記エアフィルタを支持するとともに、前記塵埃除去ユニットの前記連結部を移動させる隙間（１９８）を近傍に持つ前記塵埃除去ユニットの移動経路（１９５）を形成する本体フレーム（１９）と、
前記塵埃除去ユニットの待機時には前記移動経路の近傍の前記隙間に位置し前記隙間に室内空気が流れることを抑制し且つ前記塵埃除去ユニットの移動時には前記移動経路の近傍の前記隙間から外れるシール部材（４０，４０Ａ）と、
を備える、空調室内機。
【請求項２】
前記シール部材（４０）は、前記移動経路の近傍の前記隙間において巻取り巻き出しが可能なフィルムで構成されている、
請求項１に記載の空調室内機。
【請求項３】
前記塵埃除去ユニットに一端の取り付けられている前記シール部材が他端に取り付けられている巻取機構（４１）をさらに備え、
前記シール部材は、前記塵埃除去ユニットに引っ張られて巻き出され、前記巻取機構によって巻き取られる、
請求項２に記載の空調室内機。
【請求項４】
前記シール部材（４０Ａ）は、前記移動経路の近傍の前記隙間に突出して配置され、前記塵埃除去ユニットに押される力によって前記連結部の移動領域から退くように構成されている、
請求項１に記載の空調室内機。
【請求項５】
前記シール部材は、前記移動経路の近傍の前記隙間に突出して配置された弾性体（４２ａ，４２ｂ）で形成され、前記塵埃除去ユニットの移動時に前記連結部に押されて弾性変形することにより前記連結部の前記移動領域から外れる、
請求項４に記載の空調室内機。
【発明の詳細な説明】
【技術分野】
【０００１】
本発明は、エアフィルタを自動的に清掃するための自動清掃機構を備える空調室内機に関する。
【背景技術】
【０００２】
従来から、空気調和機には、機内に取り入れる室内空気から塵埃を除去するためのエアフィルタが設けられるのが一般的である。そして近年、例えば特許文献１（特開２００８−１２１９９０号公報）などに開示されているように、エアフィルタを自動的に清掃する自動清掃機構が空気調和機に設けられることが多くなっている。このような自動清掃機構によって、メンテナンスの手間を省くことでユーザの利便性の向上が図られている。
【発明の概要】
【発明が解決しようとする課題】
【０００３】
特許文献１に記載されている清掃ブラシは、エアフィルタに沿って移動して塵埃を除去するが、エアフィルタを挟んでその上流側と下流側にまたがる一つの塵埃除去ユニットを配置しようとすると塵埃除去ユニットの移動経路の近傍に隙間を形成する必要が生じる。この移動経路の隙間がエアフィルタの上方空間と下方空間とをつなぐバイパスを形成してしまうとエアフィルタを通過しない塵埃を含んだ室内空気が空気調和機内に吸込まれてしまうという問題が生じる。
【０００４】
本発明の課題は、エアフィルタに対して移動する塵埃除去ユニットによってエアフィルタの自動清掃を行う自動清掃機能を備える空調室内機においてエアフィルタによる塵埃除去機能を向上させることである。
【課題を解決するための手段】
【０００５】
本発明の第１観点に係る空調室内機は、機内に取り入れられる室内空気から塵埃を除去するエアフィルタと、エアフィルタの風上側に配置される風上部とエアフィルタの風下側に配置される風下部と風上部と風下部を連結する連結部とを含む塵埃除去ユニットを有し、塵埃除去ユニットをエアフィルタに対して相対移動させてエアフィルタから塵埃を自動的に除去する自動清掃機構と、エアフィルタを支持するとともに、塵埃除去ユニットの連結部を移動させる隙間を近傍に持つ塵埃除去ユニットの移動経路を形成する本体フレームと、塵埃除去ユニットの待機時には移動経路の近傍の隙間に位置し隙間に室内空気が流れることを抑制し且つ塵埃除去ユニットの移動時には移動経路の近傍の隙間から外れるシール部材と、を備える。
【０００６】
本発明の第１観点に係る空調室内機では、シール部材が塵埃除去ユニットの待機時には移動経路の近傍の隙間に位置しエアフィルタの上方空間からエアフィルタの下方空間に移動経路の近傍の隙間を介して室内空気が流れることを抑制することができる。
【０００７】
本発明の第２観点に係る空調室内機は、第１観点の空調室内機において、シール部材は、移動経路において巻取り巻き出しが可能なフィルムで構成されている、ものである。この空調室内機では、シール部材が塵埃除去ユニットの移動に応じて巻取り巻き出しが可能なフィルムであることから、シール部材は、塵埃除去ユニットの待機時には巻き出されて移動経路の近傍の隙間を塞ぐことができ、移動時には巻き取られて移動経路の近傍の隙間から外れることができる。
【０００８】
本発明の第３観点に係る空調室内機は、第２観点の空調室内機において、塵埃除去ユニットに一端の取り付けられているシール部材が他端に取り付けられている巻取機構をさらに備え、シール部材は、塵埃除去ユニットに引っ張られて巻き出され、巻取機構によって巻き取られる、ものである。この空調室内機では、シール部材が塵埃除去ユニットによって引っ張られて巻き出され、巻取機構によってシール部材が巻き取られることから、シール部材の収納が容易であり、シール部材の設置に要する場所を小さくすることができる。
【０００９】
本発明の第４観点に係る空調室内機は、第１観点の空調室内機において、シール部材は、移動経路の近傍の隙間に突出して配置され、塵埃除去ユニットに押される力によって退くように構成されている、ものである。この空調室内機では、塵埃除去ユニットに押される力によってシール部材が連結部の移動領域か退くことから、シール部材を外すための動力が不要になるので、シール部材を移動経路から外すための動力を発生する構成を省くことができる。
【００１０】
本発明の第５観点に係る空調室内機は、第４観点の空調室内機において、シール部材は、移動経路の近傍の隙間に突出して配置された弾性体で形成され、塵埃除去ユニットの移動時に連結部に押されて弾性変形することにより連結部の移動領域から外れる、ものである。この空調室内機では、移動経路の近傍の隙間に突出して配置されているシール部材が弾性体であることから、連結部に押されて退いても連結部が通り過ぎた後は弾性変形が元に戻ることによって再びシール部材が隙間を塞ぐことができる。
【発明の効果】
【００１１】
本発明の第１観点に係る空調室内機では、移動経路の近傍の隙間を介する室内空気の流れがシール部材によって防止されてエアフィルタを介さずに機内に吸込まれる室内空気をなくすことができ、エアフィルタによる塵埃除去機能を向上させることができる。
【００１２】
本発明の第２観点に係る空調室内機では、シール部材によって、塵埃除去ユニットの連結部の移動を邪魔しないように移動経路の近傍の隙間を塞ぐことができる。
【００１３】
本発明の第３観点に係る空調室内機では、シール部材を設けることによって装置が大きくなるのを抑制することができる。
【００１４】
本発明の第４観点に係る空調室内機では、シール部材を設けることによって装置が大きくなるのを防止することができる。
【００１５】
本発明の第５観点に係る空調室内機では、シール部材に関する構造を簡素化でき、シール部材を安価に設けることができる。
【図面の簡単な説明】
【００１６】
【図１】本発明の一実施形態に係る空気調和機の空調室内機の斜視図。
【図２】図１に示された空調室内機のＩ−Ｉ線断面図。
【図３】図１に示された空調室内機のＩ−Ｉ線断面図。
【図４】本体フレームの斜視図。
【図５】ガイドフレームに設けられた移動経路を説明するための図。
【図６】フィルタが設置された状態を説明するための本体フレームの斜視図。
【図７】フィルタが設置された状態を説明するための本体フレームの斜視図。
【図８】フィルタの後側端部周辺の部分断面図。
【図９】（ａ）近接状態を採る塵埃除去ユニットの斜視図、（ｂ）離反状態を採る塵埃除去ユニットの斜視図。
【図１０】（ａ）清掃ユニットの断面図、（ｂ）締結時と離反時の両方の状態をとらせた除去部の端部を拡大した断面斜視図。
【図１１】（ａ）図９（ａ）に示されている塵埃除去ユニットのＩＩ−ＩＩ線矢視断面図、（ｂ）図９（ｂ）に示されている塵埃除去ユニットのＩＩＩ−ＩＩＩ線矢視断面図。
【図１２】清掃ユニット及びダストボックスの断面図。
【図１３】フィルタの前側端部における清掃ユニットの側面図。
【図１４】フィルタの前側端部近傍に移動した清掃ユニットを示す側面図。
【図１５】フィルタの後側端部近傍に移動した清掃ユニットを示す側面図。
【図１６】ガイド部材上に位置する清掃ユニットの側面図。
【図１７】（ａ）塵埃回収動作時の清掃ユニットとダストボックスとの位置関係を説明するための図、（ｂ）塵埃回収動作時の清掃ユニットとダストボックスとの位置関係を説明するための図。
【図１８】本体フレームの後部の一部を拡大した部分拡大斜視図。
【図１９】（ａ）図１８のＩＶ−ＩＶ線矢視断面図、（ｂ）図１９（ａ）にシール部材が配置された状態を示す断面図。
【図２０】本体フレームの前部の一部を拡大した部分拡大斜視図。
【図２１】巻取機構を説明するための部分拡大斜視図。
【図２２】本発明の変形例に係るシール部材を説明するための断面図。
【発明を実施するための形態】
【００１７】
（１）空調室内機１００の構成
図１には、空調室内機１００を正面右斜め上から見た外観が示されている。図２及び図３は、Ｉ−Ｉ線で切断した空調室内機１００の断面図であって、図２には水平フラップ２３ａが開いた状態が示され、図３には水平フラップ２３ａが閉じた状態が示されている。図２には、自動清掃機構７０の備える塵埃除去ユニット７３が初期位置にある状態が描かれており、図３には、自動清掃機構７０の備える塵埃除去ユニット７３がフィルタ押え部材３００の前側端部３０１にある状態が描かれている。空調室内機１００は、室内の壁面等に取り付けられ、室外に設置されている室外機（図示せず）に冷媒配管（図示せず）を介して接続されている。
【００１８】
空調室内機１００は、室内を冷房する冷房運転及び室内を暖房する暖房運転を行うことができる。さらに、図２及び図３に示すように、空調室内機１００は、エアフィルタ２５を清掃するための自動清掃機構７０を備えており、エアフィルタ２５に対して自動清掃機構７０の塵埃除去ユニット７３が移動することによって自動でエアフィルタ２５から塵埃を除去する自動清掃運転を行うこともできる。
【００１９】
なお、エアフィルタ２５は、図１に示されているようにガイドフレーム１９２を挟んで左右に一つずつ配置されている。また、それら２つのエアフィルタ２５を清掃するための自動清掃機構７０や後述するフィルタ押え部材３００などもそれらエアフィルタ２５に対応してガイドフレーム１９２の左右に一組ずつ配置されている。これら２つのエアフィルタ２５に関連する構成は、ガイドフレーム１９２に対して左右対称に配置されているので、以下の説明では、いずれか一方のみを説明して他方の説明を省略する場合がある。
【００２０】
（２）詳細構成
空調室内機１００は、ケーシング１１と、室内熱交換器１３と、室内ファン１５と、エアフィルタ２５と、本体フレーム１９と、ガイド部材１４と、自動清掃機構７０とを備えている（図１乃至図３参照）。
【００２１】
（２−１）ケーシング１１
ケーシング１１は、横方向（空調室内機１００の左右方向（図４参照））に細長くかつ複数の開口を持つ箱のような形状を呈する。ケーシング１１は、図２及び図３に示すように、天面部１１ａ、前面板１１ｂ、背面板１１ｃ、右側板１１ｄ及び左側板１１ｅによって囲まれた立体空間を内部に有し、その立体空間内に室内熱交換器１３、室内ファン１５、本体フレーム１９、エアフィルタ２５、ガイド部材１４、底フレーム１７及び自動清掃機構７０が収納されている。
【００２２】
天面部１１ａは、ケーシング１１の上端部に位置する。前面板１１ｂは、ケーシング１１の正面を構成する。また、前面板１１ｂは、その上端が天面部１１ａにヒンジ（図示せず）で回動自在に支持されている。右側板１１ｄ及び左側板１１ｅは、それぞれケーシング１１の右側面及び左側面を構成する。
【００２３】
背面板１１ｃは、ケーシング１１の背面を構成している。この背面板１１ｃが、室内の壁面に設置された取り付け板（図示せず）にビス止め等によって取り付けられることによって、空調室内機１００が室内の壁面に設置される。
【００２４】
ケーシング１１の天面部１１ａには、天面部１１ａの前側から後側にかけて天面吸込口２１が設けられている。この天面吸込口２１から天面吸込口２１近傍の室内空気が室内ファン１５の駆動によってケーシング１１内部へと取り込まれ、室内熱交換器１３の前側熱交換部１３ａ，１３ｂ及び後側熱交換部１３ｃそれぞれに送られる。図２の破線の矢印Ａが、天面吸込口２１から前側熱交換部１３ａ，１３ｂ及び後側熱交換部１３ｃを介して室内ファン１５へと送られる室内空気の流れを表している。
【００２５】
ケーシング１１の下面は、底フレーム１７の底部１７ａによって構成されているが、該下面には、下面吸込口２２と、吹出口２３とが形成されている。下面吸込口２２は、吹出口２３よりも壁側に設けられており、吸込流路１６によってケーシング１１の内部と繋がっている。下面吸込口２２からは、下面吸込口２２近傍の室内空気が、室内ファン１５の駆動によってケーシング１１内部へと取り込まれ、吸込流路１６を通って室内熱交換器１３の後側熱交換部１３ｃへと送られる。図２の破線の矢印Ｂが、下面吸込口２２から後側熱交換部１３ｃへと送られる室内空気の流れを表している。
【００２６】
吹出口２３は、下面吸込口２２よりも空調室内機１００の正面側に設けられており、吹出流路１８によってケーシング１１の内部と繋がっている。天面吸込口２１及び下面吸込口２２から吸い込まれ室内空気は、室内熱交換器１３にて熱交換された後、吹出流路１８を通って吹出口２３から室内へと吹き出される。図２の破線の矢印Ｃが、吹出流路１８から吹出口２３を介して室内へと送られる空気の流れを表している。
【００２７】
吸込流路１６は、下面吸込口２２から底フレーム１７の流路形成壁１７ｂに沿って形成されている。そして、これら吸込流路１６と吹出流路１８は、流路形成壁１７ｂを間に挟んで隣接している。
【００２８】
なお、吹出口２３付近には、水平フラップ２３ａがケーシング１１に対して回動可能に取り付けられている。水平フラップ２３ａは、フラップ駆動用モータ（図示せず）によって回動し、空調室内機１００の運転状態に応じて吹出口２３を開閉する。さらに、水平フラップ２３ａは、吹出口２３から吹き出された室内空気がユーザの所望する方向へと案内されるように、室内空気の吹き出し方向を変更する機能を有する。
【００２９】
（２−２）室内熱交換器１３
室内熱交換器１３は、複数のフィンと複数の伝熱管とで構成されている。室内熱交換器１３は、ケーシング１１内部において、底フレーム１７の一部分に取り付けられている。室内熱交換器１３は、空調室内機１００の運転状態に応じて蒸発器または凝縮器として機能し、伝熱管の中を流れる冷媒と室内熱交換器１３を通過する空気との間で熱交換を行わせる。
【００３０】
室内熱交換器１３は、図２及び図３に示すように、側面視において両端が下方に向いて屈曲する略逆Ｖ字型の形状を有し、その下方に室内ファン１５が位置している。また、図１に示されている空調室内機１００は、湿度の高い空気を供給するために室内熱交換器１３に対向して左側に略直方体状の加湿ダクト４００を有しているが、このような加湿ダクト４００が設けられなくてもよい。
【００３１】
（２−３）室内ファン１５
室内ファン１５は、ケーシング１１の内部に位置しており、空調室内機１００の長手方向（左右方向）に細長い略円筒形状のクロスフローファンである。室内ファン１５が稼働することによって、室内空気が天面吸込口２１及び下面吸込口２２それぞれから吸い込まれて室内熱交換器１３を通過した後に、室内熱交換器１３を通過することで生成された調和空気が吹出口２３から室内へと供給される（図２の破線の矢印Ａ，Ｂ，Ｃを参照）。
【００３２】
（２−４）底フレーム１７
底フレーム１７は、底部１７ａと流路形成壁１７ｂとで構成されている。底部１７ａは、ケーシング１１の下面の少なくとも一部を構成する要素であって、底フレーム１７のうちの空調室内機１００の外部に露出する部分である。
【００３３】
流路形成壁１７ｂは、底フレーム１７のうちの、ケーシング１１の内部に位置する部位である。流路形成壁１７ｂは、底部１７ａの一端から上方に延びており、且つ室内ファン１５の形状に沿って湾曲した形状を成している。
【００３４】
（２−５）本体フレーム１９
図４は、本体フレーム１９の斜視図である。図５は、ガイドフレーム１９１を内側（図４に示す矢印ａ方向）から見た図である。なお、図４では、エアフィルタ２５は右側にのみ取り付けられており、エアフィルタ２５の一部、及び室内ファン１５を省略して描いている。また、図５では、ダストボックス７２及び塵埃除去ユニット７３が配置された状態を描いている。
【００３５】
本体フレーム１９は、図４に示すように、３つのガイドフレーム１９１，１９２，１９３と、各ガイドフレーム１９１，１９２，１９３の前後端部を連結する後部連結用板材１９４と、を有する。ガイドフレーム１９１，１９２，１９３には、後述する塵埃除去ユニット７３をエアフィルタ２５に沿って移動させるための移動経路１９５が設けられている（図５参照）。さらに、ガイドフレーム１９１，１９２，１９３には、塵埃除去ユニット７３に後述する接触動作を行わせるための接触用ガイド凸部１９６が設けられている。接触用ガイド凸部１９６は、ここでは、空調室内機１００の正面視において左側に位置するガイドフレーム１９１及び右側に位置するガイドフレーム１９３では、内側面であって移動経路１９５の後側端部近傍に設けられており、空調室内機１００の正面視において中央に位置するガイドフレーム１９２では、両側面であって移動経路１９５の後側端部近傍に設けられている。また、接触用ガイド凸部１９６は、移動経路１９５の後側端部に向かうにつれて移動経路１９５と接触用ガイド凸部１９６との距離が徐々に小さくなるように構成された接触面１９７を含んでいる。
【００３６】
（２−６）エアフィルタ２５
図６及び図７は、エアフィルタ２５を装着した状態のフィルタ押え部材３００が固定された本体フレーム１９の一部を斜め方向から見た図である。また、図６及び図７では、空調室内機１００の正面視において右側に位置するエアフィルタ２５のみがフィルタ押え部材３００に装着された状態を描いており、特に、図７では、エアフィルタ２５のフィルタ本体２５１を省略して描いている。
【００３７】
エアフィルタ２５は、天面吸込口２１及び下面吸込口２２から吸い込まれた室内空気中の塵埃を捕集するためのものである。エアフィルタ２５は、ケーシング１１の天面部１１ａと室内熱交換器１３との間に配置されており、ケーシング１１の内部に取り付けたり、内部から取り出したりすることができるようになっている。そして、エアフィルタ２５は、ケーシング１１の内部に装着されて固定された状態で、前側熱交換部１３ａ，１３ｂ及び後側熱交換部１３ｃを覆う。
【００３８】
エアフィルタ２５は、その中央の部分がケーシング１１の天面部１１ａに沿って延びており、さらにはその前後方向における前側端部２５ａ及び後側端部２５ｂが室内熱交換器１３の頂点１３ｄ（図２及び図３参照）よりも下方に落ち込んだところで固定されている。すなわち、エアフィルタ２５は、側面視において、室内熱交換器１３の上方を覆うような略逆Ｊ字形状を有している。そして、ここでは、図２及び図３に示すように、エアフィルタ２５は、その後側端部２５ｂの高さ位置が後側熱交換部１３ｃの後側端部の近傍にまで達しており、その前側端部２５ａの高さ位置が前側熱交換部１３ｂの高さ方向中央よりも下の位置にまで達している。前側熱交換部１３ａ，１３ｂに対応するエアフィルタ２５の部分は、天面吸込口２１から吸い込まれた室内空気から塵埃を捕集することができる。また、エアフィルタ２５の後側端部２５ｂの位置が吸込流路１６の出口１６ａよりも下側に位置しているので、後側熱交換部１３ｃに対応するエアフィルタ２５の部分は、下面吸込口２２から吸い込まれた室内空気から塵埃を捕集することができる。このように、エアフィルタ２５は、室内熱交換器１３の表面に室内空気中の塵埃が付着することを防いでいる。
【００３９】
エアフィルタ２５は、平板状の部品であって、平面視における全体的な形状がほぼ長方形である。エアフィルタ２５は、室内空気中の塵埃を捕集するフィルタ本体２５１と、フィルタ本体２５１を囲むように枠状に形成されているフィルタ枠体２５２とを有する（図６参照）。フィルタ本体２５１は、例えば、樹脂製の糸からなる網である。フィルタ枠体２５２は、フィルタ本体２５１つまり樹脂製の網の周囲に網と一体に形成された樹脂枠である。このような構成により、樹脂製の網からなるフィルタ本体２５１は、樹脂製のフィルタ枠体２５２によって支えられる。
【００４０】
また、エアフィルタ２５は、フィルタ押え部材３００によって本体フレーム１９に固定される。フィルタ押え部材３００と本体フレーム１９には、フィルタ枠体２５２を固定する固定機構（図示せず）が設けられている。固定機構は、エアフィルタ２５の後側端部２５ｂが当接する当接部（図示せず）が設けられている。このエアフィルタ２５の後側端部２５ｂは、エアフィルタ２５の装着時には装着方向先端側の端部となる。エアフィルタ２５が本体フレーム１９とフィルタ押え部材３００との間に滑り込むようにして装着され、エアフィルタ２５は、装着時に後側端部２５ｂが当接部に突き当たるまで移動する。後側端部２５ｂが当接部に当接した状態で、フィルタ押え部材３００を本体フレーム１９に固定することでエアフィルタ２５の固定が完了する。また、固定機構にはフィルタ枠体２５２を係止する係止部（図示せず）が含まれており、フィルタ押え部材３００を本体フレーム１９に固定することでエアフィルタ２５はフィルタ押え部材３００に係止される。固定されたエアフィルタ２５のフィルタ枠体２５２は、フィルタ清掃時に除去ブラシ７４２と風下側ブラシ７３４にエアフィルタ２５を挟んだ状態で塵埃除去ユニット７３が移動しても、係止部によって係止されて、本体フレーム１９に対する相対的な位置を維持する。
【００４１】
さらに、フィルタ押え部材３００には、塵埃除去ユニット７３に後述する離反動作を行わせるための離反用ガイド部３０２が設けられている。離反用ガイド部３０２は、ここでは、フィルタ押え部材３００の前側端部３０１の左右両端にのみ設けられており、先端（ここでは、フィルタ押え部材３００の前側端部３０１）に向かうにつれて斜め前方向に傾斜した傾斜面３０２ａを含んでいる（図６及び図７参照）。なお、フィルタ押え部材３００は、正面視において、左右方向に並ぶように、本体フレーム１９に２つ固定されている。そして、エアフィルタ２５は、本体フレーム１９に設置された状態で、正面視において、右側と左側とに並ぶように２つ設置される。
【００４２】
（２−７）ガイド部材１４
図８は、エアフィルタ２５の後側端部２５ｂとガイド部材１４との位置関係を説明するための図である。
【００４３】
ガイド部材１４は、空調室内機１００の長手方向（空調室内機１００の左右方向）に長い部品であって、本実施形態では長方形状の平板の部品である。ガイド部材１４は、エアフィルタ２５の装着時にエアフィルタ２５の端部（ここでは、エアフィルタ２５の後側端部２５ｂ）をその上面の一部に乗り上げさせることで、エアフィルタ２５を所定位置（ここでは、図８に示す位置）へと導くためのものである。ガイド部材１４は、当接部に当接した状態のエアフィルタ２５の後側端部２５ｂ近傍から後方に向かって延びるようにガイドフレーム１９１，１９２，１９３に固定されている。図８に示すように、ガイド部材１４は、エアフィルタ２５の後側端部２５ｂの手前からエアフィルタ２５の装着方向（図８に示す矢印Ｚの方向）に沿って延びるように配置されている。
【００４４】
本実施形態のガイド部材１４は、所定位置に配置されたエアフィルタ２５の後側端部２５ｂが乗り上がる部分を含むガイド部１４１と、ガイド部１４１近傍であって平面視においてエアフィルタ２５の後側端部２５ｂと重なっていない主部１４２とを有している。主部１４２は、ガイド部材１４の短手方向（ここでは、前後方向）において曲率が変わる変曲部１４３を含む。変曲部１４３は、主部１４２の一方の端部（ここでは、前方の端部）に位置しており、ガイド部１４１に隣接している。また、変曲部１４３の曲率は、主部１４２の変曲部１４３以外の部分及びガイド部１４１のそれぞれの曲率よりも小さくなるように構成されている。すなわち、変曲部１４３はガイド部材１４の曲り基点となっており、図８に示すように、ガイド部材１４は変曲部１４３が上部後方に突出するように屈曲している。
【００４５】
また、ガイド部材１４の材料としては、各種金属や樹脂等の様々なものが採用され得る。本実施形態のガイド部材１４は平板状の部品であるため、例えば、上面へのエアフィルタ２５の後側端部２５ｂの乗り上げやすさを考慮して、加工が容易でありかつ表面の滑らかな板金がガイド部材１４として採用されてもよい。また、コスト面を考慮して、ガイド部材１４として樹脂製の平板部品が採用されてもよい。
【００４６】
（２−８）自動清掃機構７０
自動清掃機構７０は、空調室内機１００の制御装置（図示せず）によって制御される。自動清掃機構７０は、塵埃除去ユニット７３と、駆動機構７１と、塵埃貯留部としてのダストボックス７２とを含んでいる。駆動機構７１は、制御装置により制御され、塵埃除去ユニット７３を所定の軌道上で往復移動させる。塵埃除去ユニット７３は、エアフィルタ２５に付着した塵埃を除去する。ダストボックス７２には、塵埃除去ユニット７３がエアフィルタ２５から除去した塵埃が溜められる。
【００４７】
自動清掃機構７０は、所定の軌道に沿った塵埃除去ユニット７３の往復移動により、エアフィルタ２５に付着した塵埃を塵埃除去ユニット７３によって除去する。また、自動清掃機構７０は、塵埃除去ユニット７３の往復移動を利用して、塵埃除去ユニット７３がエアフィルタ２５から除去した塵埃を、塵埃除去ユニット７３から剥離させて回収し、ダストボックス７２へと溜める。
【００４８】
（３）自動清掃機構７０の詳細説明
（３−１）塵埃除去ユニット７３
図９（ａ）及び図９（ｂ）には、斜め上から見た塵埃除去ユニット７３の左側端部付近が描かれている。図９（ａ）は、近接状態を採る塵埃除去ユニット７３の斜視図であり、図９（ｂ）は、離反状態を採る塵埃除去ユニット７３の斜視図である。図１０（ａ）は、塵埃除去ユニット７３を塵埃除去ユニット７３の長手方向に対して直交する方向で切断した断面を描いた図である。図１０（ａ）には、塵埃除去ユニット７３が離反し且つエアフィルタ２５が間にある状態の塵埃除去ユニット７３の断面が描かれている。図１０（ｂ）には、後述する近接状態と離反状態にある左右の風上部７４１、及び風下部７３１の断面が示されている。なお、図１０（ｂ）に示されている状態は説明を分かり易くするためのものであって、実際の動作中のものではない。図１１（ａ）は、図９（ａ）に示されている塵埃除去ユニット７３のＩＩ−ＩＩ線矢視断面図である。図１１（ｂ）は、図９（ｂ）に示されている塵埃除去ユニット７３のＩＩＩ−ＩＩＩ線矢視断面図である。
【００４９】
塵埃除去ユニット７３は、風下部７３１と風上部７４１とが組み合わされることで構成されている。また、塵埃除去ユニット７３は、空調室内機１００の正面視において、右側と左側とに並ぶように２つ設けられており、右側の塵埃除去ユニット７３と左側の塵埃除去ユニット７３とが連結されている。
【００５０】
（３−１−１）風下部７３１
風下部７３１は、空調室内機１００の長手方向に沿った細長い部材である（図９参照）。風下部７３１は、ローラ７３３と、風下側ブラシ７３４とを有する。
【００５１】
ローラ７３３は、風下部７３１の長手方向の両端部（左右両端部）近傍に設けられている。ローラ７３３は、風下部７３１の長手方向に延びる回転軸を中心として回転自在に取り付けられており、ガイドフレーム１９１，１９２，１９３の移動経路１９５に配置される。このローラ７３３が移動経路１９５に当接しながら移動経路１９５に沿って転がることで、風下部７３１が移動経路１９５に沿った軌道を描きながら移動する。
【００５２】
風下側ブラシ７３４は、風下部７３１の長手方向の一方の端部近傍から他方の端部近傍まで、風下部７３１の長手方向に沿って配置されている。風下側ブラシ７３４は、エアフィルタ２５の空気流れの風下側に配置されている。風下側ブラシ７３４は、エアフィルタ２５の後面すなわちエアフィルタ２５の空気流れ下流側すなわち風下側に位置する面（以下、風下側面２５ｆ１という）に付着している塵埃の除去機能向上のために設けられている。
【００５３】
風下側ブラシ７３４は、例えば、樹脂製の平板状の第１基台７３４ａと、複数の線状の毛材７３４ｃとを有する。毛材７３４ｃは、第１基台７３４ａの第１面７３４ｂに植設されている。風下側ブラシ７３４は、毛材７３４ｃがエアフィルタに向かって真っ直ぐ立っている直毛ブラシである。例えば、塵埃除去ユニット７３の進行方向に対して直交する向きに毛材７３４ｃが植設される。図１０（ａ）では、毛材７３４ｃは、上下左右に広がる第１基台７３４ａから真っ直ぐ前に向かって延びている。そして、風下側ブラシ７３４の毛材７３４ｃは、後述する近接状態に塵埃除去ユニット７３があるときも後述する離反状態にあるときも、エアフィルタ２５の風下側面２５ｆ１と接触する。
【００５４】
また、風下部７３１の長手方向の両端部（左右両端部）には、風上部７４１に向かって延びる第１締結部材７３５が立設されている。左右の風下部７３１では、合計４本の第１締結部材７３５が上方に延びている。(図１０（ｂ）及び図１１(ｂ)参照)。第１締結部材７３５の上端部近傍には開口７３９が形成されている（図１１（ｂ）参照）。また、第１締結部材７３５の上端部の内面（中央側の面）であって該開口７３９の縁部上方には、内側（中央側）に向かって突出する第１突起部７３６が設けられている。ここでは、第１突起部７３６は、その断面が２つの傾斜面７３６ａ，７３６ｂを有する三角形状を呈するように形成されている。
【００５５】
（３−１−２）風上部７４１
風上部７４１は、風下部７３１と同様に、空調室内機１００の長手方向に沿った細長い形状を成している（図９参照）。風上部７４１は、塵埃除去ユニット７３の近接状態においてエアフィルタ２５の風上側面２５ｆ２に接触する除去ブラシ７４２を有する。
【００５６】
除去ブラシ７４２は、風上部７４１の長手方向の一方の端部近傍から他方の端部近傍まで、風上部７４１の長手方向に沿って配置されている。除去ブラシ７４２は、エアフィルタ２５の空気流れ上流側に配置されている。除去ブラシ７４２は、エアフィルタ２５の風上側面２５ｆ２で塵埃を除去するために設けられている。そして、ここでは、風下側ブラシ７３４及び除去ブラシ７４２には、異なるタイプのブラシが採用されている。
【００５７】
除去ブラシ７４２は、例えば、樹脂製の第２基台７４２ａと、複数の毛材７４２ｃとを有する。複数の毛材７４２ｃは、第２基台７４２ａの第２面７４２ｂに植設されている。除去ブラシ７４２は、清掃時に除去ブラシ７４２が進む方向に向かって毛材７４２ｃが傾斜している傾斜ブラシである。図１０（ａ）では、毛材７４２ｃの延びる方向が斜め後下方を向くように設けられている。複数の毛材７４２ｃは、後述する近接状態のときに、エアフィルタ２５の表面に直接接触する。しかし、数の毛材７４２ｃは、後述する離反状態のときには、エアフィルタ２５の表面には接触しない。
【００５８】
ここで、本実施形態の除去ブラシ７４２には、例えば、パイル織りされた織物基布を用いることができる。織物基布は、織物の表面を覆っているパイル糸が一定の角度で傾斜するように織られており、細かな塵埃を捕集することができる。よって、本実施形態の複数の毛材７４２ｃとは、パイル織りされた織物基布の表面の短い繊維（パイル糸）のことである。なお、本実施形態では、除去ブラシ７４２にパイル織りされた織物基布を利用しているが、これに限定されるものではない。
【００５９】
図１０（ａ）に示すように、風下側ブラシ７３４と除去ブラシ７４２とは、エアフィルタ２５を挟んで向かい合うように配置されている。塵埃除去ユニット７３では、第１基台７３４ａの第１面７３４ｂと第２基台７４２ａの第２面７４２ｂとは、エアフィルタ２５に直交する方向から視て、その一部が重なるように互いに対向する位置に設置されている。
【００６０】
風上部７４１の長手方向の両端部（左右両端部）には、第１締結部材７３５の外側に位置する外側壁部７４３がある。外側壁部７４３は、風上部７４１の本体部７４１ｂの一部分である。風上部７４１には、本体部７４１ｂに嵌めこまれ、空間Ｓに取り付けられるバネ（図示せず）によって付勢された第２締結部材７４７が設けられている（図１１（ａ）参照）。第２締結部材７４７は、第１締結部材７３５の内側に位置する稼動部７４４と、稼動部７４４から外側壁部７４３の方に向かって延びる第２突起部７４５とを有する。稼動部７４４の外面（外側壁部７４３に近い側の面）には、外側（外側壁部７４３側）に向かって突出する第３突起部７４６が設けられている。ここでは、第３突起部７４６は、その断面形状が１つの傾斜面７４６ａを有する三角形状を呈するように形成されている。第２突起部７４５は、第１締結部材７３５の開口７３９を貫通する大きさに形成され、風下部７３１の方に向かって突出している。
【００６１】
（３−１−３）近接状態及び離反状態
塵埃除去ユニット７３は、風下側ブラシ７３４と除去ブラシ７４２とが近接している近接状態（図９（ａ）参照）と、風下側ブラシ７３４と除去ブラシ７４２とが離反している離反状態（図９（ｂ）参照）とを採ることができるように構成されている。
【００６２】
近接状態では、図１１（ａ）に示すように、第１突起部７３６の方が第３突起部７４６よりも風上側に位置する。詳しく見れば、近接状態では、第１突起部７３６の傾斜面７３６ａと第３突起部７４６の傾斜面７４６ａとが当接しており、第２突起部７４５の隣の凹部７４５ａと開口７３９下部を規定する面７３９ａとが近接又は一部当接している。
【００６３】
他方、離反状態では、図１１（ｂ）に示すように、第１突起部７３６の方が第３突起部７４６よりも風下側に位置する。詳しく見れば、離反状態では、第１突起部７３６の上面７３６ｃと第３突起部７４６の下面７４６ｂとが近接又は一部当接しており、第１突起部７３６の下面７３６ｄと第２突起部７４５の上面７４５ｂとが近接又は一部当接している。
【００６４】
なお、塵埃除去ユニット７３における離反状態と近接状態とがそれぞれ維持されるように、例えば、風上部７４１において図１１（ａ）に示す空間Ｓに、稼動部７４４を第１締結部材７３５に向かって付勢するバネ等の付勢部材が配設されている。
【００６５】
離反状態から近接状態に変化するときには、離反状態の塵埃除去ユニット７３が後側に移動することによって、外側壁部７４３の上面７４３ａが接触用ガイド凸部１９６の接触面１９７（図８参照）に当接する。さらに、塵埃除去ユニット７３が後方に向かって移動するに従って、接触用ガイド凸部１９６とエアフィルタ２５（フィルタ押え部材３００）の隙間が狭くなるので、接触用ガイド凸部１９６によって外側壁部７４３の上面７４３ａが風下部７３１の方に押し込まれる。そして、塵埃除去ユニット７３がエアフィルタ２５から後側に外れるまでに塵埃除去ユニット７３の風上部７４１と風下部７３１が近接状態になる。
【００６６】
塵埃除去ユニット７３の離反状態（図１１(ｂ)参照）では、第２締結部材７４７の第３突起部７４６の下面７４６ｂに第１締結部材７３５の第１突起部７３６の上面７３６ｃが接触し、第１締結部材７３５の第１突起部７３６の下面７３６ｄが第２締結部材７４７の第２突起部７４５の上面７４５ｂに当接することにより、上下の動きが規制される。また、第１締結部材７３５の第１突起部７３６の頂部が稼動部７４４の側面に接触することから、バネの付勢によって左右の動きが規制される。
【００６７】
近接状態から離反状態に変化するときには、塵埃除去ユニット７３の風下部７３１と風上部７４１は、風上部７４１の風下側の面と風下部７３１の風上側の面が離反用ガイド部３０２に当接して押し広げられることによって離反する。そのために、離反用ガイド部３０２は、上方から下方に向かって徐々に厚みが増すように形成されている。この離反用ガイド部３０２は、フィルタ押え部材３００に設けられている。
【００６８】
塵埃除去ユニット７３の離反時には、第２締結部材７４７の第３突起部７４６が第１締結部材７３５の第１突起部７３６に押されて空間Ｓ内のバネが縮んで、稼動部７４４が中央側（内側）に向かって摺動する。塵埃除去ユニット７３が開ききると、第１締結部材７３５の第１突起部７３６を第２締結部材７４７の第３突起部７４６が乗り越えて第３突起部７４６が第１突起部７３６を押さなくなり、稼動部７４４を押すバネの付勢が緩和される。
【００６９】
塵埃除去ユニット７３の近接状態（図１１（ａ）参照）では、第１締結部材７３５の第１突起部７３６の下部の傾斜面７３６ａに第２締結部材７４７の第３突起部７４６の上部の傾斜面７４６ａが接触している。また、第１締結部材７３５の開口７３９の縁に第２締結部材７４７の第２突起部７４５の隣の凹部７４５ａが嵌っている。このような状態では、風下部７３１に対する風上部７４１の上下方向の動きは、第１締結部材７３５の開口７３９の縁に第２締結部材７４７の凹部７４５ａが接触していること及び第１締結部材７３５の第１突起部７３６の傾斜面７３６ａと第２締結部材７４７の第３突起部７４６の傾斜面７４６ａが接触していることによって規制される。また、風下部７３１に対する風上部７４１の左右方向の動きは、第２締結部材７４７の凹部７４５ａが第１締結部材７３５の開口７３９の縁に嵌合することによって規制される。
【００７０】
（３−２）駆動機構７１
図４に示されている駆動機構７１は、エアフィルタ２５の風上側面２５ｆ２及び風下側面２５ｆ１に沿わせながら、塵埃除去ユニット７３を、移動経路１９５の一方の端部と他方の端部との間を往復して移動させる。駆動機構７１は、例えば、駆動モータ７４と、駆動モータ７４の回転力を塵埃除去ユニット７３に伝達する駆動ベルト（図示せず）とを有している。
【００７１】
駆動モータ７４は、ガイドフレーム１９１，１９３の外側面に設けられており、専用のギアケース内に収納されている。駆動モータ７４は、１又は複数のギアを介して駆動ベルト近傍に位置するピニオンギア（図示せず）を回転させる。
【００７２】
駆動ベルトは、ガイドフレーム１９１，１９３の前側端部に設けられた前側プーリ（図示せず）と、ガイドフレーム１９１，１９３の後側端部に設けられた後側プーリ（図示せず）との間に掛け回された環状のベルトである。駆動ベルトの外面には、ピニオンギアと噛み合うラックギア（図示せず）が設けられており、駆動モータ７４が駆動することで、ピニオンギアが回転し、駆動ベルトが回転可能な構成になっている。
【００７３】
駆動ベルトには、風下部７３１の長手方向の一方の端部にある連結部７３８が固定されている。具体的には、空調室内機１００の正面視において、左側の塵埃除去ユニット７３の風下部７３１では、左側に位置する連結部７３８と駆動ベルトとが固定されている。また、正面視において、右側の塵埃除去ユニット７３の風下部７３１では、右側に位置する連結部７３８と駆動ベルトとが固定されている。また、左右の塵埃除去ユニット７３において駆動ベルトが固定されていない側は、左右の塵埃除去ユニット７３が互いに連結されて一体化されている（図１０（ｂ）参照）。これにより、駆動ベルトが回転して正転と逆転を繰り返すことで、塵埃除去ユニット７３がガイドフレーム１９１，１９２，１９３の移動経路１９５に沿って図５に示す矢印Ｘ１、矢印Ｙ１で示されている方向に往復移動する。
【００７４】
（３−３）ダストボックス７２
図１２は、自動清掃機構７０の前側端部に位置するダストボックス７２及びその近傍に移動してきた塵埃除去ユニット７３の断面図である。ダストボックス７２は、塵埃除去ユニット７３とは別体として、ケーシング１１の正面側において、塵埃除去ユニット７３の移動方向（ここでは、塵埃除去ユニット７３の移動方向は上下方向）の延長線上に配置されている。より詳しくは、ダストボックス７２は、ケーシング１１においてフィルタ押え部材３００の前側端部３０１よりも下方に、すなわち、エアフィルタ２５の前側端部２５ａの下方に固定されている。
【００７５】
ダストボックス７２内には、風下側ブラシ７３４及び除去ブラシ７４２によって除去されたエアフィルタ２５の塵埃が溜められる。そして、ダストボックス７２は、本体フレーム１９に対し着脱可能に取り付けられている。このため、ユーザは、ダストボックス７２を本体フレーム１９及びケーシング１１から取り外して、ダストボックス７２内に溜まった塵埃を容易に処理することができる。このダストボックス７２は、本体７２１と蓋７２２とを有する。
【００７６】
（３−３−１）本体７２１
ダストボックス７２の本体７２１は、空調室内機１００の長手方向に沿った細長い部材である。本体７２１は、図１２に示すように、上方に開口した箱状を呈している。また、本体７２１は、風下側ブラシ７３４及び除去ブラシ７４２が保持している塵埃を剥離させて回収するための塵埃回収ブラシとしての第１剥離ブラシ７２５及び第２剥離ブラシ７２６を有している。
【００７７】
第１剥離ブラシ７２５及び第２剥離ブラシ７２６は、本体７２１の長手方向に沿った細長い部材であって、平板状に形成されている。第１剥離ブラシ７２５及び第２剥離ブラシ７２６は、本体７２１の長手方向の一方の端部近傍から他方の端部近傍まで、本体７２１の長手方向に直交する短手方向（前後方向）の中央部分に配置されている。そして、第１剥離ブラシ７２５は、風下側ブラシ７３４の移動方向の延長線上に配置され、第２剥離ブラシ７２６は、除去ブラシ７４２の移動方向の延長線上に配置されている。したがって、塵埃除去ユニット７３が、エアフィルタ２５の表面に付着した塵埃を除去するための移動（ここでは、下方に向かう往路移動）をそのまま続けると、風下側ブラシ７３４及び除去ブラシ７４２が保持している塵埃を剥離させて回収することができる。ここでは、第１剥離ブラシ７２５も第２剥離ブラシ７２６も、本体７２１の開口７２１ａよりも上方に突出して設けられている。
【００７８】
第１剥離ブラシ７２５及び第２剥離ブラシ７２６は、風下側ブラシ７３４及び除去ブラシ７４２と摺接して風下側ブラシ７３４及び除去ブラシ７４２が保持している塵埃を剥離させて掻き取り、本体７２１の内部へと落とすことで塵埃を回収する。このような機能を持たせるため、第１剥離ブラシ７２５及び第２剥離ブラシ７２６の毛は、塵埃除去ユニット７３が本体７２１に向かって移動する方向に対して逆らう方向に向かって傾斜している。つまり、図１２に描かれているように、第１剥離ブラシ７２５の毛は、基台７２７の後面から斜め後上方に延びるように設けられている。また、第２剥離ブラシ７２６の毛は、基台７２７の前面から斜め前上方に延びるように設けられている。なお、第１剥離ブラシ７２５及び第２剥離ブラシ７２６には、例えば、基台７２７に線状の毛材を植毛したものの他、基台７２７にパイル織りされた織物基布を貼り付けたもののように、風下側ブラシ７３４及び除去ブラシ７４２から塵埃を剥離させて回収することのできるものが適宜採用される。
【００７９】
（３−３−２）蓋７２２
ダストボックス７２の蓋７２２は、空調室内機１００の長手方向に沿った細長い板状の部材であって、本体７２１の開口７２１ａを覆うことができる。蓋７２２は、中央で前後に分かれており、開口７２１ａのうちの後部を覆う第１蓋部７２３と開口７２１ａのうちの前部を覆う第２蓋部７２４とからなる。
【００８０】
この蓋７２２は、本体７２１の開口７２１ａを開閉できるように設けられている。図１２に示すように、第１蓋部７２３の短手方向の後側端部と、第２蓋部７２４の短手方向の前側端部とが回動自在に支持されている。そして、第１蓋部７２３及び第２蓋部７２４は、バネ部材等の図示しない付勢部材により、本体７２１の開口７２１ａを塞ぐ方向に付勢されている。これにより、第１蓋部７２３及び第２蓋部７２４は、本体７２１の開口７２１ａを閉じた姿勢（図１２に描かれている姿勢）を保つことができる。
【００８１】
（４）風下側ブラシ７３４と除去ブラシ７４２
図１３は、エアフィルタ２５の前側端部２５ａに位置する塵埃除去ユニット７３を側面から見た図である。図１４は、エアフィルタ２５の前側端部２５ａよりも下方に位置する塵埃除去ユニット７３を側面から見た図であって、図１３の塵埃除去ユニット７３が矢印Ｘ２の方向にさらに移動した状態を描いている。図１５は、エアフィルタ２５の後側端部２５ｂ近傍に位置する塵埃除去ユニット７３を側面から見た図である。図１６は、エアフィルタ２５の後側端部２５ｂよりも後方に位置する塵埃除去ユニット７３を側面から見た図であって、図１５の塵埃除去ユニット７３が矢印Ｙ２の方向にさらに移動した状態を描いている。
【００８２】
（４−１）自動清掃時の動作
風下側ブラシ７３４は、エアフィルタ２５の空気流れ下流側（風下側）に配置されており、塵埃除去ユニット７３のエアフィルタ２５に対する往復移動動作時には常に、すなわち塵埃除去ユニット７３の往路移動動作時及び復路移動動作時共に、毛材７３４ｃの毛先がエアフィルタ２５の風下側面２５ｆ１に接触している。これに対して、エアフィルタ２５の空気流れ上流側（風上側）に配置されている除去ブラシ７４２は、塵埃除去ユニット７３の往復移動動作時において、一方向移動動作時（ここでは、塵埃除去ユニット７３の往路移動動作時）には、毛材７４２ｃ（織物基布のパイル糸）がエアフィルタ２５の風上側面２５ｆ２に接触し、他方向移動動作時（ここでは、塵埃除去ユニット７３の復路移動動作時）には、毛材７４２ｃがエアフィルタ２５の風上側面２５ｆ２には接触しない。つまり、除去ブラシ７４２を有する風上部７４１は、塵埃除去ユニット７３の離反状態のときにエアフィルタ２５の表面から離反し、近接状態のときにエアフィルタ２５の表面に接触する。
【００８３】
近接状態から離反状態に変わるときの離反動作では、除去ブラシ７４２の毛先とエアフィルタ２５の風上側面２５ｆ２との間に隙間が生じる位置まで風上部７４１が風下部７３１に対して移動する。
【００８４】
離反状態から近接状態に変わる接触動作では、除去ブラシ７４２の毛先とエアフィルタ２５の風上側面２５ｆ２との間に隙間が生じない位置まで風上部７４１が風下部７３１に対して移動する。なお、離反動作でも接触動作でも、風下部７３１からエアフィルタ２５の表面までの距離は変わらない。
【００８５】
離反動作及び接触動作は、いずれもエアフィルタ２５の表面に沿った移動に応じて行われる。塵埃除去ユニット７３の離反動作は往路移動動作の最後に行われ、接触動作は復路移動動作の最後に行われる。この塵埃除去ユニット７３の離反動作は、風上部７４１がフィルタ押え部材３００に設けられた離反用ガイド部３０２で行われる。より詳しくは、図１３に示すように、フィルタ押え部材３００の前側端部３０１に設けられた離反用ガイド部３０２の傾斜面３０２ａと、風上部７４１の長手方向に交差する方向の短手方向の両端部のうちの図１３において下方に位置する側の端部７４１ａの面７４１ｆとが当接した状態で塵埃除去ユニット７３が矢印Ｘ２の方向に移動することで、離反動作が行われる。離反動作が完了すると、図１４に示すように、風上部７４１が風下部７３１から離れる方向（図１４では、前方）へと移動した状態で風上部７４１と風下部７３１の位置関係が固定される。従って、離反動作が完了した後に、塵埃除去ユニット７３が矢印Ｘ２とは逆方向に移動しても、塵埃除去ユニット７３は離反状態を維持する。
【００８６】
塵埃除去ユニット７３の接触動作は、風上部７４１がガイドフレーム１９１，１９２，１９３に設けられた接触用ガイド凸部１９６で行われる。より詳しくは、図１５に示すように、ガイドフレーム１９１，１９２，１９３において移動経路１９５の後側端部近傍に設けられた接触用ガイド凸部１９６の接触面１９７と風上部７４１の外側壁部７４３の上面７４３ａとが当接した状態で塵埃除去ユニット７３が矢印Ｙ２の方向に移動することで、接触動作が行なわれる。接触動作が完了すると、図１６に示すように、風上部７４１が風下部７３１に向かう方向（図１６では、斜め前下方）へと移動した状態で風上部７４１と風下部７３１の位置関係が固定される。従って、接触動作が完了した後に、塵埃除去ユニット７３が矢印Ｙ２とは逆方向に移動しても、塵埃除去ユニット７３は近接状態を維持する。
【００８７】
（５）塵埃の除去動作
図１７（ａ）及び図１７（ｂ）は、塵埃回収動作時の塵埃除去ユニット７３とダストボックス７２との位置関係を示す概念図である。
【００８８】
空調室内機１００は、ケーシング１１内に自動清掃機構７０の動作を制御する制御装置（図示せず）を内蔵している。制御装置は、空調室内機１００の運転時間をカウントしており、前回の自動清掃運転からの累積運転時間が所定時間（例えば、２４時間）に到達したときに、自動清掃運転を行う。自動清掃運転では、塵埃除去ユニット７３を所定回数（例えば、１回）だけ固定されているエアフィルタ２５に対して往復移動させる往路移動動作及び復路移動動作の他に、塵埃除去ユニット７３の往復移動を利用して風下側ブラシ７３４及び除去ブラシ７４２が保持している塵埃を剥離させて回収する塵埃回収動作が行われる。
【００８９】
（５−１）往路移動動作
空調室内機１００の運転停止時や通常運転（暖房運転や冷房運転）時には、塵埃除去ユニット７３は、図８に示すように、エアフィルタ２５の後側端部２５ｂよりも背面側のガイド部材１４の主部１４２に位置しており、ここが清掃運転開始時の初期位置となっている。このため、塵埃除去ユニット７３が初期位置にある場合、風下側ブラシ７３４及び除去ブラシ７４２は、エアフィルタ２５の後側端部２５ｂよりも背面側に位置しており、かつ塵埃除去ユニット７３がエアフィルタ２５とは重ならないようになっている。さらに、塵埃除去ユニット７３が初期位置にある場合、塵埃除去ユニット７３は風下部７３１と風上部７４１とが近接した近接状態を採っている。したがって、本実施形態では、自動清掃機構７０による清掃運転の開始とほぼ同時にエアフィルタ２５の塵埃除去動作が開始されることになる。
【００９０】
清掃運転が開始されると、まず、近接状態を採る塵埃除去ユニット７３が、エアフィルタ２５に対して移動する往路移動動作（矢印Ｘ３，Ｘ１，Ｘ２の方向への移動動作）が行われる。往路移動動作では、初期位置にある塵埃除去ユニット７３が、エアフィルタ２５の後側端部２５ｂを通過し、エアフィルタ２５の前側端部２５ａの下方まで移動する。ここで、塵埃除去ユニット７３の除去ブラシ７４２は、初期位置からエアフィルタ２５の後側端部２５ｂへと至る前にエアフィルタ２５の後側端部２５ｂの段差１４５を通過する。そして、往路移動動作では、風下側ブラシ７３４の毛材７３４ｃがエアフィルタ２５の風下側面２５ｆ１に接触して、風下側面２５ｆ１に付着している塵埃を風上側面２５ｆ２へと押し出す。一方で、除去ブラシ７４２の毛材７４２ｃ（織物基布のパイル糸）がエアフィルタ２５の風上側面２５ｆ２に接触して、エアフィルタ２５の風上側面２５ｆ２に付着している塵埃を捕獲する。なお、除去ブラシ７４２の毛材７４２ｃは、塵埃除去ユニット７３の移動方向に逆らう向きに傾斜しているので、毛材７４２ｃがエアフィルタ２５の風上側面２５ｆ２に付着した塵埃を取り除き、毛材７４２ｃの先から根元へと溜め込む。
【００９１】
そして、塵埃除去ユニット７３がエアフィルタ２５の前側端部２５ａまで移動すると、離反用ガイド部３０２の傾斜面３０２ａに沿って風上部７４１が前方に押し出されることで、第１締結部材７３５の第１突起部７３６と第２締結部材７４７の第３突起部７４６とがそれぞれ相手側の傾斜面７３６ａ，７４６ａに沿って移動し、第３突起部７４６が第１突起部７３６を乗り越える。これにより、第１突起部７３６が第３突起部７４６と第２突起部７４５の間に挟まれて係合した状態になり、風下部７３１に対する風上部７４１の位置が離反状態で固定される。近接状態から離反状態に切り替わった塵埃除去ユニット７３は、往路の終点であるフィルタ押え部材３００の前側端部３０１まで移動する。これにより、塵埃除去ユニット７３の往路移動動作が終了する。
【００９２】
（５−２）塵埃回収動作
フィルタ押え部材３００の前側端部３０１まで移動した塵埃除去ユニット７３は、離反状態を採った状態のまま塵埃回収動作を行う。塵埃回収動作では、第１剥離ブラシ７２５及び第２剥離ブラシ７２６の近傍で塵埃除去ユニット７３が複数回往復移動される。ここでは、風下側ブラシ７３４及び除去ブラシ７４２が第１剥離ブラシ７２５及び第２剥離ブラシ７２６に対して直線に沿った軌道を描くように複数回（例えば、３回）往復移動する。ここでいう直線に沿った軌道とは、直線に対して全く湾曲していない軌道であってもよく、大きな曲線の軌道であってもよい。
【００９３】
また、塵埃回収動作では、図１７（ａ）及び図１７（ｂ）に示すように、風下側ブラシ７３４及び除去ブラシ７４２は、第１剥離ブラシ７２５及び第２剥離ブラシ７２６を完全に通過するように第１剥離ブラシ７２５及び第２剥離ブラシ７２６の移動方向に平行な方向の幅よりも長い距離を往復移動する。そして、図１７（ｂ）に示すように、塵埃回収動作時の往路移動では、塵埃除去ユニット７３は、フィルタ押え部材３００の前側端部３０１からダストボックス７２の内部まで移動する。なお、塵埃回収動作時の塵埃除去ユニット７３の往路移動の際には、第１剥離ブラシ７２５及び除去ブラシ７４２が塵埃除去ユニット７３の移動方向に逆らう向きに傾斜しているため、風下側ブラシ７３４が第１剥離ブラシ７２５に摺接しながら移動することで風下側ブラシ７３４が保持している塵埃が第１剥離ブラシ７２５によって掻き取られ、除去ブラシ７４２が第２剥離ブラシ７２６に摺接しながら移動することで除去ブラシ７４２が保持している塵埃が第２剥離ブラシ７２６によって掻き取られる。これにより、風下側ブラシ７３４及び除去ブラシ７４２が保持している塵埃が風下側ブラシ７３４及び除去ブラシ７４２から剥離される。風下側ブラシ７３４及び除去ブラシ７４２から剥離された塵埃は、その大部分が第１剥離ブラシ７２５及び第２剥離ブラシ７２６の主に根元に絡みついて第１剥離ブラシ７２５及び第２剥離ブラシ７２６が受け取ることになるが、一部は自重により下方へと落下することで回収されることになる。また、塵埃回収動作時の塵埃除去ユニット７３の復路移動の際には、第１剥離ブラシ７２５及び第２剥離ブラシ７２６が塵埃除去ユニット７３の移動方向に従う向きに傾斜しているため、風下側ブラシ７３４が第１剥離ブラシ７２５に摺接しながら移動し、除去ブラシ７４２が第２剥離ブラシ７２６に摺接しながら移動しても、ブラシ間を移動する塵埃は少ない。この塵埃回収動作における塵埃除去ユニット７３の往復移動が複数回行われることで、風下側ブラシ７３４及び除去ブラシ７４２が保持している塵埃は、第１剥離ブラシ７２５及び第２剥離ブラシ７２６によって剥離されて受け取られ、ブラシ下部へと移動していき、第１剥離ブラシ７２５及び第２剥離ブラシ７２６から離れる。第１剥離ブラシ７２５及び第２剥離ブラシ７２６から離れた塵埃は、自重により下方へと落下することで回収され、ダストボックス７２内に溜められる。
【００９４】
また、塵埃回収動作時の塵埃除去ユニット７３の往路移動の際には、風下側ブラシ７３４の移動に伴って第１蓋部７２３が付勢部材の付勢力に逆らって押し下げられて回動することで第１蓋部７２３が開いていき、除去ブラシ７４２の移動に伴って第２蓋部７２４が付勢部材の付勢力に逆らって押し下げられて回動することで第２蓋部７２４が開いていく。これにより、図１７（ｂ）に示すように、第１蓋部７２３及び第２蓋部７２４が開状態となり、本体７２１の開口７２１ａが開放された状態になる。一方で、第１蓋部７２３及び第２蓋部７２４は付勢部材により本体７２１の開口７２１ａを閉じる閉状態となるように付勢されているため、塵埃回収動作時の塵埃除去ユニット７３の復路移動の際には、風下側ブラシ７３４の移動に伴って第１蓋部７２３が回動することで第１蓋部７２３が閉じていき、除去ブラシ７４２の移動に伴って第２蓋部７２４が回動することで第２蓋部７２４が閉じていく。これにより、図１７（ａ）に示すように、第１蓋部７２３及び第２蓋部７２４が閉状態となり、本体７２１の開口７２１ａが塞がれた状態になる。塵埃回収動作において、第１剥離ブラシ７２５及び第２剥離ブラシ７２６から離れた塵埃は、塵埃回収動作時の塵埃除去ユニット７３の往路移動時に、本体７２１の開口７２１ａが開放された状態のときに、本体７２１の開口７２１ａを介して本体７２１の内部空間に溜められることになる。このようにして、ダストボックス７２内に塵埃が貯留される。
【００９５】
（５−３）復路移動動作
塵埃回収動作の終了後、フィルタ押え部材３００の前側端部３０１に位置する塵埃除去ユニット７３が往路移動動作時とは反対方向に移動する復路移動動作（矢印Ｙ１，Ｙ２の方向への移動動作）が行われる。往路移動動作開始時には、塵埃除去ユニット７３は離反状態を採っているため、風下側ブラシ７３４はエアフィルタ２５の風下側面２５ｆ１に接触しているが、除去ブラシ７４２はエアフィルタ２５の風上側面２５ｆ２には接触していない。このため、復路移動動作の際にも、エアフィルタ２５の風下側面２５ｆ１から風上側面２５ｆ２へと塵埃が押し出される。一方で、エアフィルタ２５の風上側面２５ｆ２には除去ブラシ７４２が接触していないので、ダストボックス７２に捨てきれなかった塵埃が除去ブラシ７４２に残っていたとしても、エアフィルタ２５の風上側面２５ｆ２への塵埃の付着を防止することができる。
【００９６】
塵埃除去ユニット７３がエアフィルタ２５の後側端部２５ｂ近傍まで移動すると、接触用ガイド凸部１９６の接触面１９７に沿って風上部７４１が下方に押し下げられることで、第２締結部材７４７の第３突起部７４６が第１締結部材７３５の第１突起部７３６の傾斜面７３６ｂに沿って移動し、第３突起部７４６が第１突起部７３６を乗り越える。これにより、第１突起部７３６と第３突起部７４６及び第２突起部７４５との係合が解除され、風下部７３１に対する風上部７４１の位置が近接状態で固定される。離反状態から近接状態に切り替わった塵埃除去ユニット７３は、復路の終点であって往路の始点である初期位置まで移動する。これにより、清掃運転が終了する。なお、上記動作は、リモートコントローラ（図示せず）を使って制御装置に指示を送信することにより強制的に実行させることができるように構成されてもよい。
【００９７】
（６）シール構造
図１８には、図４に示した本体フレーム１９の長手方向中央の後部の一部を拡大して示されている。図１９（ａ）及び図１９（ｂ）には、図１８のＩＶ−ＩＶ線で切断して背面側を見たときに現れる断面が示されている。ガイドフレーム１９２は、上部リブ１９２ａと下部リブ１９２ｂとフィルタ支持リブ１９２ｃとを含んでいる。移動経路１９５は、上部リブ１９２ａ及びフィルタ支持リブ１９２ｃと下部リブ１９２ｂとの間に形成されている。上部リブ１９２ａとフィルタ支持リブ１９２ｃとの間には、隙間１９８が形成されている。この隙間１９８は、塵埃除去ユニット７３の風下部７３１と風上部７４１とをつなぐ連結部である第１締結部材７３５が移動するための移動領域である。
【００９８】
ところが、隙間１９８がエアフィルタ２５のフィルタ枠体２５２の外側に形成されているので、隙間１９８が塞がれなければ、矢印Ｄで示されているように、エアフィルタ２５の上方空間ＵＳから下方空間ＤＳに隙間１９８を介して室内空気が流れるバイパスが形成されることになる。
【００９９】
そこで、空調室内機１００が空調運転をしている状態にあって塵埃除去ユニット７３が清掃運転開始時の初期位置に待機しているときには、図１９（ｂ）に示すように、隙間１９８を塞ぐ帯状のシール部材４０をガイドフレーム１９２の上部リブ１９２ａの上面に配置する。このシール部材４０は、例えば可撓性を持つ帯状の樹脂フィルムで形成されている。従って、シール部材４０の周辺にエアフィルタ２５に向かう気流が生じてもシール部材４０が捲れ上がったりすることはない。このシール部材４０によって、矢印Ｄで示されていた室内空気の流れが遮断される。
【０１００】
しかし、空調室内機１００の自動清掃機構７０が清掃を行うときには、シール部材４０が連結部である第１締結部材７３５の移動領域に在ると、第１締結部材７３５の移動に支障をきたし、シール部材４０に邪魔されて塵埃除去ユニット７３が移動できなくなる。このような支障を生じさせないように、第１締結部材７３５がシール部材４０のところに来る前に、図２１に示されている巻取機構４１がシール部材４０を巻き取っていく。シール部材４０の巻取機構４１には、ぜんまいバネ（図示せず）が内蔵されている。そして、シール部材４０の一端が第１締結部材７３５に取り付けられている（図２０参照）。なお、図２０においては、風上部７４１が取り外された状態が示されている。このような構成により、清掃時に塵埃除去ユニット７３が前方に移動すれば、その移動距離に等しい長さだけ巻取機構４１によってシール部材４０が巻き取られる。その結果、清掃のときの往路移動時には、塵埃除去ユニット７３の第１締結部材７３５の移動領域からシール部材４０が外れる。巻き取られたシール部材４０は、巻取機構４１の中にぜんまいバネによって螺旋状に巻き取られて収納される。
【０１０１】
図２０及び図２１に示されているように、巻取機構４１は、取付部材４３によって本体フレーム１９に取り付けられている。取付部材４３は、本体フレーム１９に嵌合することによって簡単に着脱できるように構成されている。図２１に示されている２つの巻取機構４１は、左右の２つの塵埃除去ユニット７３に対応して設けられているものである。
【０１０２】
塵埃除去ユニット７３が往路移動動作を行なうときには、第１締結部材７３５に取り付けられているシール部材４０の一端が塵埃除去ユニット７３の移動にともなって第１締結部材７３５によって引っ張られる。その結果、塵埃除去ユニット７３が清掃運転開始時の初期位置まで戻ったときには、移動経路１９５の近傍の隙間１９８がガイドフレーム１９２の前方から後方までの全域に渡ってシール部材４０に覆われる。
【０１０３】
なお、上述のシール部材４０に関する説明では、ガイドフレーム１９２周辺のシール部材４０について説明したが、ガイドフレーム１９１，１９３の周辺のシール部材についてもガイドフレーム１９２周辺のシール部材４０と同様に構成される。
【０１０４】
（７）変形例
（７−１）変形例Ａ
上記実施形態では、シール部材が帯状の樹脂フィルムで形成され、帯状のシール部材４０を用いて移動経路１９５の近傍の隙間１９８が塞がれる場合について説明した。しかし、シール部材を構成する部材は帯状の樹脂フィルムに限られるものではなく、他の部材をシール部材として用いることもできる。
【０１０５】
例えば、図２２に示されているシール部材４０Ａは、弾性変形する毛材４２ａ，４２ｂである。毛材４２ａ，４２ｂが密に植設されているため、隙間１９８の室内空気の流れが遮断されている。毛材４２ａは上部リブ１９２ａに植設され、毛材４２ｂはフィルタ支持リブ１９２ｃに植設されている。毛材４２ａは上部リブ１９２ａから上部リブ１９２ａとフィルタ支持リブ１９２ｃの中間点まで延び、毛材４２ｂはフィルタ支持リブ１９２ｃから上部リブ１９２ａとフィルタ支持リブ１９２ｃの中間点まで延びている。
【０１０６】
シール部材４０Ａは、塵埃除去ユニット７３の待機時には移動経路１９５の近傍の隙間１９８に位置して隙間１９８に室内空気が流れることを防いでいる。そして、塵埃除去ユニット７３の移動時には、第１締結部材７３５に押されて毛材４２ａ，４２ｂが弾性変形することにより移動経路１９５の近傍の隙間１９８において第１締結部材７３５の移動領域から外れる。そして、第１締結部材７３５が通り過ぎた後は、毛材４２ａ，４２ｂの弾性変形した状態から元の状態に戻るので、再び室内空気の流れをシール部材４０Ａが遮断できるようになる。
【０１０７】
（７−２）変形例Ｂ
上記変形例Ａでは、シール部材４０Ａが毛材４２ａ，４２ｂである場合について説明したが、シール部材４０Ａの毛材４２ａ，４２ｂを例えばそれぞれゴムシートに代えることもできる。つまり、１枚のゴムシートが上部リブ１９２ａから上部リブ１９２ａとフィルタ支持リブ１９２ｃの中間点まで延び、もう１枚のゴムシートがフィルタ支持リブ１９２ｃから上部リブ１９２ａとフィルタ支持リブ１９２ｃの中間点まで延びるように構成することもできる。このようにゴムシートを用いる場合も、塵埃除去ユニット７３の移動時には、第１締結部材７３５に押されてゴムシートが弾性変形して両側に退くことにより移動経路１９５の近傍の隙間１９８において第１締結部材７３５の移動領域から外れる。そして、第１締結部材７３５が通り過ぎた後は、ゴムシートの弾性変形した状態から元の状態に戻るので、再び室内空気の流れをシール部材４０Ａが遮断できるようになる。
【０１０８】
（７−３）変形例Ｃ
上記実施形態では、塵埃除去ユニット７３を空調室内機１００の後方にて待機させ、清掃運転開始時の初期位置が空調室内機１００の後方である場合について説明したが、待機時の塵埃除去ユニット７３の位置は空調室内機１００の後方に限られるものではない。例えば、前側熱交換部１３ａと後側熱交換部１３ｃの接続部の上方空間に、初期位置を設定することもできる。このように設定すると、初期位置から後方の部分が、待機時にシール部材４０では覆いきれなくなる。そこで、初期位置（待機位置）をエアフィルタ２５の後端部よりも前に設定するときには、シール部材をもう一枚用意して、後方に巻取機構をもう一つ用意する。そして、前方の巻取機構４１から延びるシール部材４０で初期位置から前方にある隙間１９８を覆い、後方の巻取機構から延びるもう１枚のシール部材で初期位置から後方にある隙間１９８を覆うように構成することもできる。
【０１０９】
（８）特徴
（８−１）
本実施形態の空調室内機１００において、シール部材４０，４０Ａは、塵埃除去ユニット７３の待機時には移動経路１９５の近傍の隙間１９８に位置する。その結果、エアフィルタ２６の上方空間ＵＳからエアフィルタ２５の下方空間ＤＳに移動経路１９５の近傍の隙間１９８を介して室内空気が流れることがシール部材４０，４０Ａにより抑制される。他方、塵埃除去ユニット７３の移動時には移動経路１９５の近傍の隙間１９８の第１締結部材７３５の移動領域からシール部材４０，４０Ａが外れることにより、シール部材４０，４０Ａが塵埃除去ユニット７３の移動の妨げにならないように構成されている。ここで、第１締結部材７３５は、塵埃除去ユニット７３の連結部である。このような構成により、移動経路１９５の近傍の隙間１９８を介する室内空気の流れがシール部材４０，４０Ａによって防止されて、エアフィルタ２５を介さずに空調室内機１００の機内に吸込まれる室内空気がなくなることから、シール部材４０，４０Ａを設ける前に比べてエアフィルタ２５による塵埃除去機能が向上している。
【０１１０】
（８−２）
空調室内機１００では、シール部材４０が塵埃除去ユニット７３の移動に応じて巻取り巻き出しが可能な樹脂フィルムであることから、シール部材４０は、塵埃除去ユニット７３の待機時には巻き出されて移動経路１９５の近傍の隙間１９８を塞ぐことができる。そして、塵埃除去ユニット７３の移動時には、帯状の樹脂フィルムからなるシール部材４０は、巻き取られて移動経路１９５の近傍の隙間１９８から外れることができる。このようなシール部材４０によって、塵埃除去ユニット７３の連結部である第１締結部材７３５の移動を邪魔しないように移動経路１９５の近傍の隙間１９８を塞ぐことができる。
【０１１１】
（８−３）
空調室内機１００では、シール部材４０が塵埃除去ユニット７３によって引っ張られて巻き出され、巻取機構４１によってシール部材４０が巻き取られることから、シール部材４０の収納が容易である。また、シール部材４０が螺旋状に巻き取られてシール部材４０の占める面積が小さくなることから、シール部材４０の設置に要する場所を小さくすることができる。シール部材４０を設けることによって空調室内機１００が大型化するのを抑制することができる。
【０１１２】
（８−４）
空調室内機１００では、塵埃除去ユニット７３の第１締結部材７３５に押される力によってシール部材４０Ａが退くことから、シール部材１０Ａを外すための動力が不要になる。その結果、シール部材４０Ａを第１締結部材７３５の移動領域から外すための動力を発生するための構成を省くことができ、シール部材４０Ａを設けることによって空調室内機１００が大きくなるのを防止することができる。
【０１１３】
上記の変形例Ａでは、シール部材４０Ａの毛材４２ａ，４２ｂが弾性変形することによりシール部材４０Ａが退く構成が説明されているが、シール部材が退く構成は、弾性変形によって退くものに限られるものではない。
【０１１４】
（８−５）
空調室内機１００では、移動経路１９５の近傍の隙間１９８に突出して配置されているシール部材４０Ａが毛材４２ａ，４２ｂ又はゴムシートの弾性体であることから、第１締結部材７３５に押されて退いても第１締結部材７３５が通り過ぎた後は弾性変形が元に戻ることによって再びシール部材４０Ａが隙間１９８を塞ぐことができる。変形例Ａ，Ｂでは、このような毛材４２ａ，４２ｂ又はゴムシートを使っているので、シール部材４０Ａに関する構造を簡素化でき、シール部材４０Ａを安価に設けることができる。
【符号の説明】
【０１１５】
１９  本体フレーム
２５  エアフィルタ
４０，４０Ａ  シール部材
４１  巻取機構
４２ａ，４２ｂ  毛材（弾性体）
７０  自動清掃機構
７２  ダストボックス
７３  塵埃除去ユニット
１００  空調室内機
１９５  移動経路
１９８  隙間
７３１  風下部
７３４  風下側ブラシ
７３５  第１締結部材（連結部）
７４１  風上部
７４２  除去ブラシ
【先行技術文献】
【特許文献】
【０１１６】
【特許文献１】特開２００８−１２１９９０号公報
【図１】
2017020666.tif 000003
【図２】
2017020666.tif 000004
【図３】
2017020666.tif 000005
【図４】
2017020666.tif 000006
【図５】
2017020666.tif 000007
【図６】
2017020666.tif 000008
【図７】
2017020666.tif 000009
【図８】
2017020666.tif 000010
【図９】
2017020666.tif 000011
【図１０】
2017020666.tif 000012
【図１１】
2017020666.tif 000013
【図１２】
2017020666.tif 000014
【図１３】
2017020666.tif 000015
【図１４】
2017020666.tif 000016
【図１５】
2017020666.tif 000017
【図１６】
2017020666.tif 000018
【図１７】
2017020666.tif 000019
【図１８】
2017020666.tif 000020
【図１９】
2017020666.tif 000021
【図２０】
2017020666.tif 000022
【図２１】
2017020666.tif 000023
【図２２】
2017020666.tif 000024